(57)【特許請求の範囲】
【請求項１】
複数号機のエレベータを有し、これらの運転状態を表示するための表示装置が各階のホールに設置されたエレベータシステムの表示制御装置において、
上記各号機の運転モードを輝度調整モードに切り換えるモード切換え手段と、
このモード切換え手段によって輝度調整モードに切り換えられた号機を群管理の対象から外し、当該号機に対応した上記表示装置の輝度を号機間で共通のホール呼びボタンの特定の操作によって調整する輝度調整手段と、
上記輝度調整モードに切り換えられているときに上記ホール呼びボタンが通常に操作された場合にホール呼びの登録と判断し、そのホール呼びを上記輝度調整手段による輝度調整中の号機を除く他の号機に対して割り当てる呼び登録判断手段と
を具備したことを特徴とするエレベータシステムの表示制御装置。
【請求項２】
上記輝度調整手段は、上記ホール呼びボタンの特定の操作として、上記ホール呼びボタンが一定時間以上連続して押下されたことを検出することを特徴とする請求項１記載のエレベータシステムの表示制御装置。
【請求項３】
上記輝度調整手段は、上記ホール呼びボタンが上記一定時間以上連続して押下されている間、上記表示装置の輝度をサイクリックに変化させ、上記ホール呼びボタンの押下が解除されたときのタイミングで上記表示装置の輝度を確定することを特徴とする請求項２記載のエレベータシステムの表示制御装置。
【請求項４】
上記呼び登録判断手段は、上記ホール呼びボタンの通常の操作として、上記ホール呼びボタンが上記一定時間より短く押下されたことを検出することを特徴とする請求項１記載のエレベータシステムの表示制御装置。
【請求項５】
上記表示装置は、バックライト付きの液晶表示装置からなり、
上記輝度調整手段は、上記バックライトの光量を調整することを特徴とする請求項１記載のエレベータシステムの表示制御装置。
【発明の詳細な説明】
【技術分野】
【０００１】
本発明は、複数号機のエレベータを有し、これらの号機に共通のホール呼びボタンを用いて各階のホールに設置された表示装置の輝度調整を行うエレベータシステムの表示制御装置に関する。
【背景技術】
【０００２】
エレベータのホールには表示装置が設置されており、現在のかご位置（階床数）などを表示している。この表示装置として、今までＬＥＤ（light emitting diode）が用いられていたが、近年では、かご位置だけでなく、様々な情報を詳細に表示するために、液晶表示装置が用いられることが多くなった。
【０００３】
しかし、液晶表示装置は周囲の明るさに影響を受けやすいため、各階の明るさに応じて輝度調整が不可欠であり、点検員が定期的に点検して輝度調整を行っている。この輝度調整に関し、例えば特許文献１では、各階のホール呼びボタンを利用して表示装置の輝度を調整することが開示されている。
【先行技術文献】
【特許文献】
【０００４】
【特許文献１】特開平１０−３３３６２８号公報
【発明の概要】
【発明が解決しようとする課題】
【０００５】
しかしながら、上記特許文献１では、１台のエレベータを前提としたものであり、複数号機のエレベータを有するシステムには適用することができない。これは、複数号機のエレベータを有するシステムでは、各号機間でホール呼びボタンが共通に使用されるからである。
【０００６】
すなわち、例えば１号機と２号機の２台のエレベータが並設されたシステムであれば、各階のホールでは、１号機と２号機で１つのホール呼びが共通に使用され、そのホール呼びの押下により１号機または２号機が応答することになる。この場合、各階のホールにおいて、号機毎に表示装置が設置されている。
【０００７】
このため、ホール呼びボタンを利用して一方の号機の輝度調整を行うと、そのときの呼びの信号が他号機に入力され、ホール呼びの登録があったものと誤認識して応答してしまう問題がある。この場合、輝度調整中は全号機の運転を止めておくようにすれば、このような問題は生じないが、その間、運転サービスを行えずに利用者に迷惑を掛けてしまうことになる。
【０００８】
本発明は上記のような点に鑑みなされたもので、運転サービスを中断することなく、各号機間で共通のホール呼びボタンを用いて、各階のホールに設置された表示装置の輝度を簡単に調整することのできるエレベータシステムの表示制御装置を提供することを目的とする。
【課題を解決するための手段】
【０００９】
本発明は、複数号機のエレベータを有し、これらの運転状態を表示するための表示装置が各階のホールに設置されたエレベータシステムの表示制御装置において、上記各号機の運転モードを輝度調整モードに切り換えるモード切換え手段と、このモード切換え手段によって輝度調整モードに切り換えられた号機を群管理の対象から外し、当該号機に対応した上記表示装置の輝度を号機間で共通のホール呼びボタンの特定の操作によって調整する輝度調整手段と、上記輝度調整モードに切り換えられているときに上記ホール呼びボタンが通常に操作された場合にホール呼びの登録と判断し、そのホール呼びを上記輝度調整手段による輝度調整中の号機を除く他の号機に対して割り当てる呼び登録判断手段とを具備したことを特徴とする。
【発明の効果】
【００１０】
本発明によれば、ホール呼びボタンの特定操作により号機単位で輝度調整を行い、その間、他号機に対してホール呼びの信号を受け付けないようにし、その一方で、ホール呼びボタンが通常操作された場合に当該号機を除く他号機に対してホール呼びを割り当てる。これにより、運転サービスを中断することなく、各号機間で共通のホール呼びボタンを用いて、各階のホールに設置された表示装置の輝度を簡単に調整することができる。
【図面の簡単な説明】
【００１１】
【図１】図１は本発明の一実施形態に係るエレベータシステムの全体構成として、各階のホールの状態を示す図である。
【図２】図２は同実施形態におけるエレベータシステムの全体構成として、各号機の乗りかごの状態を示す図である。
【図３】図３は同実施形態におけるエレベータシステムのメンテナンス用ユニットの配置例を示す図である。
【図４】図４は同実施形態におけるエレベータシステムのエレベータ制御装置の機能構成を示す図である。
【図５】図５は同実施形態におけるエレベータシステムの輝度調整時の処理動作を示すフローチャートである。
【図６】図６は本発明の他の実施形態として４台のエレベータが並設されていたホールの構成を示す図である。
【図７】図７は本発明の他の実施形態として４台のエレベータが２列に分けて配置されたエレベータシステムの構成を上から見た図である。
【発明を実施するための形態】
【００１２】
以下、図面を参照して本発明の一実施形態を説明する。
【００１３】
図１および図２は本発明の一実施形態に係るエレベータシステムの全体構成を示す図であり、図１は各階のホールの状態を示し、図２は各号機の乗りかごの状態を示している。なお、ここでは２台のエレベータが並設された構成を例としている。また、以下の説明で「エレベータ」とは、基本的に「乗りかご」のことを指しており、複数台ある場合には「号機」という言い方もする。
【００１４】
図１に示すように、建物の各階のエレベータホール１１には、各号機に対応したホールドア１２ａ，ホールドア１２ｂが並設されており、そのホールドア１２ａ，１２ｂの上に各号機の運転状態（かご位置や運転方向などを含む）を表示するためのバックライト付きの液晶表示装置１３ａ，１３ｂが設置されている。
【００１５】
また、各階のエレベータホール１１において、ホールドア１２ａ，１２ｂとの間には各号機共通のホール呼びボタン１４が設置されている。このホール呼びボタン１４は、押下式のボタンからなり、各階のホール基板１５ａ，１５ｂを介してエレベータ制御装置１６ａ，１６ｂにそれぞれ接続されている。
【００１６】
エレベータ制御装置１６ａは１号機の乗りかご１８ａの運転制御、エレベータ制御装置１６ｂは２号機の乗りかご１８ｂの運転制御を行う。本実施形態において、このエレベータ制御装置１６ａ，１６ｂは液晶表示装置１３ａ，１３ｂの輝度調整を行うための表示制御装置として用いられる。また、群管理制御装置１７は、本システムの主制御装置として存在し、エレベータ制御装置１６ａ，１６ｂを通じて各号機を群管理している。
【００１７】
なお、図１の例では、エレベータ制御装置１６ａ，１６ｂと群管理制御装置１７とを個別に分けているが、エレベータ制御装置１６ａ，１６ｂに群管理制御の機能を設けて、エレベータ制御装置１６ａ，１６ｂ間で連絡を取り合いながら各号機を群管理するような構成であっても良い。
【００１８】
図２に示すように、１号機の乗りかご１８ａは、シャフト（昇降路）２０ａ内に配置されており、ホール呼びまたはかご呼びに応答して各階床間を移動する。同様に、２号機の乗りかご１８ｂは、シャフト（昇降路）２０ｂ内に配置されており、ホール呼びまたはかご呼びに応答して各階床間を移動する。図中の１９ａ，１９ｂはかごドアであり、それぞれに着床時にホールドア１２ａ，１２ｂに係合して戸開閉する。
【００１９】
なお、「ホール呼び」とは、各階のホール呼びボタン１４の操作によって登録される呼びの信号のことであり、登録階と行先方向の情報が含まれる。この場合、図１に示すように、号機間でホール呼びボタン１４が共通化された構成では、エレベータ制御装置１６ａ，１６ｂの両方にホール呼びの信号が与えられることになる。
【００２０】
群管理制御装置１７では、エレベータ制御装置１６ａ，１６ｂにホール呼びの信号が与えられたことを検知すると、各号機の運転状況から最適な号機を選出して、その号機に対応したエレベータ制御装置にホール呼びの割当を行う。これにより、例えば１号機に１階のホール呼びが割り当てられたとすると、エレベータ制御装置１６ａを通じて乗りかご１８ａが１Ｆに応答することになる。
【００２１】
これに対し、「かご呼び」とは、かご内に設けられた図示せぬ行先階指定ボタンの操作によって登録される呼びの信号のことであり、行先階の情報が含まれる。このかご呼びの信号は、それぞれに対応したエレベータ制御装置１６ａ，１６ｂに与えられる。例えば、乗りかご１８ａ内で１階を指定すると、その指定階を有するかご呼びの信号がエレベータ制御装置１６ａに与えられる。これにより、エレベータ制御装置１６ａでは、図示せぬ巻上機を駆動して乗りかご１８ａを１階に移動させることになる。
【００２２】
次に、各階に設置された液晶表示装置１３ａ，１３ｂの輝度調整について説明する。
【００２３】
液晶表示装置１３ａ，１３ｂの輝度調整とは、詳しくはバックライトの光量を調整することである。エレベータの点検員は、建物の最上階に設置された「ホールメンテナンスユニット」と呼ばれるメンテナンス用のユニットを操作することで、号機単位で輝度調整の作業を行う。
【００２４】
図３はメンテナンス用ユニットの配置例を示す図である。
【００２５】
図中の２１は最上階に設けられた操作パネルであり、ホール呼びボタン１４などが設けられている。この操作パネル２１を外すと、その中にメンテナンス用のユニット２２ａ，２２ｂが組み込まれている。ユニット２２ａは１号機用、ユニット２２ｂは２号機用であり、各号機の運転モードを輝度調整モードに切り換えるためのモード切換えスイッチ２３ａ，２３ｂを有する。これらのスイッチ信号は、それぞれにエレベータ制御装置１６ａ，１６ｂに個別に与えられる。
【００２６】
ここで、本実施形態において、エレベータ制御装置１６ａ，１６ｂには、それぞれに輝度調整のための機能が設けられている。いま、エレベータ制御装置１６ａを代表して、その機能構成を図４に示す。
【００２７】
図４はエレベータ制御装置１６ａの機能構成を示すブロック図である。
【００２８】
１号機のエレベータ制御装置１６ａには、輝度調整部３１、記憶部３２、呼び登録判断部３３が設けられている。なお、２号機のエレベータ制御装置１６ｂについても同様の構成である。
【００２９】
輝度調整部３１は、輝度調整モードに切り換えられた号機を群管理の対象から外し、当該号機に対応した表示装置の輝度を号機間で共通のホール呼びボタンの特定の操作によって調整すると共に、他の号機に対してホール呼びボタンの信号を受け付けないように指示する。後述するように、ホール呼びボタンの特定の操作とは、一定時間ｔ以上連続して押下する操作である。
【００３０】
記憶部３２は、例えば不揮発性メモリからなり、輝度調整部３１によって調整された表示装置１３ａの輝度を対象号機に関連付けて記憶する。
【００３１】
呼び登録判断部３３は、輝度調整中にホール呼びボタンが通常に操作された場合にホール呼びの登録と判断し、そのホール呼びを輝度調整中の号機を除く他の号機に対して割り当てる。後述するように、ホール呼びボタンの通常の操作とは、一定時間ｔよりも短い時間で押下する操作である。
【００３２】
次に、同実施形態の動作を説明する。  
図５は本システムの輝度調整時の処理動作を示すフローチャートである。
【００３３】
いま、点検員が最上階に設置された操作パネル２１を外し、その中の１号機のメンテナンス用ユニット２２ａ上のモード切換えスイッチ２３ａを操作して、輝度調整モードに切り換えたものとする。
【００３４】
１号機が輝度調整モードに切り換えられると（ステップＳ１１）、エレベータ制御装置１６ａでは、まず、１号機を郡外設定し（ステップＳ１２）、その１号機の乗りかご１８ａを引き戻し階へ引き戻す（ステップＳ１３）。
【００３５】
「郡外設定」とは、群管理の対象から外した状態にすることである。この状態では、ホール呼びが割り当てられないので、運転サービスを行わない。また、「引き戻し階」とは、通常、操作パネル２１が設置されている階つまり最上階である。なお、この引き戻し階に引き戻す前に、既に登録済みのかご呼びやホール呼びがあれば、これらの呼びに応答した後に引き戻すものとする。
【００３６】
乗りかご１８ａが引き戻し階に到着とすると、そこで戸開して待機状態となる（ステップＳ１４）。輝度調整は、乗りかご１８ａを戸開したまま、その階のホール呼びボタン１４を押下することで行う（ステップＳ１５）。
【００３７】
ここで、エレベータ制御装置１６ａは、ホール呼びボタン１４を一定時間ｔ以上連続して押下されたことを検出すると（ステップＳ１６のＹｅｓ）、輝度調整のための操作であると判断し、現在の階（ここでは最上階）に設置されている液晶表示装置１３ａの輝度をサイクリックに変化させる（ステップＳ１８）。詳しくは、液晶表示装置１３ａに設けられた図示せぬバックライトの光量のレベルを＋１ずつ周期的に変えていく。
【００３８】
このとき、エレベータ制御装置１６ａから他号機である２号機のエレベータ制御装置１６ｂに対してホール呼びボタン１４の信号を受け付けないように、輝度調整中である旨を通知する（ステップＳ１９）。ホール呼びボタン１４が押下されている間、２号機のエレベータ制御装置１６ｂでは、ホール呼びと誤認識することがなくなる。
【００３９】
さらに、エレベータ制御装置１６ａは、輝度調整中である旨のメッセージを各階の液晶表示装置１３ａに表示する（ステップＳ２０）。これにより、各階において、利用者は１号機が輝度調整中のために使用できないことを把握できる。
【００４０】
ホール呼びボタン１４の連続押下に伴い、エレベータ制御装置１６ａの輝度を変化させている状態で、エレベータ制御装置１６ａは、そのホール呼びボタン１４の押下が解除されたことを検出する（ステップＳ２１のＹｅｓ）、そのときのタイミングで輝度を確定して記憶部３２に記憶する（ステップＳ２２）。
【００４１】
一方、エレベータ制御装置１６ａは、ホール呼びボタン１４が通常操作された場合、つまり、上記一定時間ｔよりも短い時間で押下されたことを検出すると（ステップＳ１６のＮｏ）、そのときの入力信号をホール呼びの登録信号であると判断する（ステップＳ１７）。
【００４２】
この場合、１号機は現在輝度調整中にて郡外設定されているので、そのホール呼びに応答することはなく、群管理制御装置１７を介して他号機である２号機に当該ホール呼びが割り当てられることになる。
【００４３】
なお、ここでは１号機と２号機の２台のエレベータを群管理されている場合を想定しているが、３台以上のエレベータが群管理されているもものとすると、現在輝度中の号機を除く、他の号機の中で最適な号機に当該ホール呼びが割り当てられることになる。
【００４４】
このように、ホール呼びボタン１４を通常に操作すれば、ホール呼びを登録することができる。したがって、１号が輝度調整中であっても、２号機を使って運転サービスを継続することができる。
【００４５】
また、他の階の輝度調整についても同様に行うことができる（ステップＳ２３）。この場合、点検員は戸開中で待機している乗りかご１８ａに乗り込み、次に調整する階へ移動して上記同様の操作を行う。
【００４６】
なお、輝度調整を終了する場合には、再び、操作パネル２１が設置されている最上階まで行き、そこで１号機のメンテナンス用ユニット２２ａのモード切換えスイッチ２３ａを操作して通常の運転モードに戻せばよい。
【００４７】
また、２号機の輝度調整を行う場合には、２号機のメンテナンス用ユニット２２ｂのモード切換えスイッチ２３ｂを操作して輝度調整モードに切り換え、上記同様の操作を行えばよい。この場合、２号機に対しては、エレベータ制御装置１６ｂが図５に示した輝度調整の処理を実行することになる。
【００４８】
このように、各号機間で共通のホール呼びボタンを用いて表示装置の輝度調整を行う場合に、そのホール呼びボタンを連続押下することで、他号機に誤認識させることなく、簡単に輝度調整することができる。この場合、ホール呼びボタンを通常操作すれば、ホール呼びの登録も行えるので、他号機を使って運転サービスを継続することができ、利用者に迷惑を掛けることがない。
【００４９】
なお、上記実施形態では、２台のエレベータを有するエレベータシステムを想定して説明したが、さらに多くのエレベータを有するエレベータシステムであっても、上記同様にして輝度調整を行うことができる。
【００５０】
すなわち、図６に示すように、１〜４号機の４台のエレベータが並設された構成であれば、ホール呼びボタン１４ａ〜１４ｃのいずれかのボタンを使って、液晶表示装置１３ａ〜１３ｄの輝度を調整することになる。この場合、輝度調整中は、他の号機にもボタン操作の信号が入力されるが、上述したように連続押下している場合には、他号機に対して信号を受け付けないように通知されるので、誤動作することはない。また、通常のボタン操作であれば、他号機のいずれかが、その呼びに応答してサービス運転を継続することができる。
【００５１】
また、各号機の配置は一列に限らず、図７に示すように、複数列に配置された構成であっても良い。
【００５２】
図７は４台のエレベータが２列に分けて配置されたエレベータシステムの構成を上から場合の図である。図中の４１ａ〜４１ｄは昇降路、４２ａ〜４２ｄは各号機の乗りかご、４３ａ，４３ｂはホール呼びボタンである。また、４４ａ〜４４ｄは液晶表示装置である。このような構成でも、ホール呼びボタン４３ａまたは４３ｂを使用して、号機単位で輝度調整モードに切り換えて、液晶表示装置４４ａ〜４４ｄの輝度を調整することができる。
【００５３】
また、上記実施形態では、液晶表示装置の輝度を調整する場合を例にして説明したが、例えばＬＥＤなどの他の表示装置の輝度を調整する場合も同様に適用可能である。ＬＥＤの場合には、ホール呼びボタンの押下操作により、ＬＥＤの発光量を調整することになる。
【００５４】
要するに、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００５５】
１１…ホール、１２ａ〜１２ｄ…ホールドア、１３ａ〜１３ｄ…液晶表示装置、１４，１４ａ〜１４ｃ…ホール呼びボタン、１５ａ，１５ｂ…ホール基板、１６ａ，１６ｂ…エレベータ制御装置、１７…群管理制御装置、１８ａ，１８ｂ…乗りかご、１９ａ，１９ｂ…かごドア、２０ａ，２０ｂ…シャフト、２１…操作パネル、２２ａ，２２ｂ…メンテナンスユニット、２３ａ，２３ｂ…モード切換えスイッチ、３１…輝度調整部、３２…記憶部、３３…呼び登録判断部、４１ａ〜４１ｄ…昇降路、４２ａ〜４２ｄ…乗りかご、４３ａ，４３ｂ…ホール呼びボタン、４４ａ〜４４ｄ…液晶表示装置。
【図１】
0005505958.tif 000002
【図２】
0005505958.tif 000003
【図３】
0005505958.tif 000004
【図４】
0005505958.tif 000005
【図５】
0005505958.tif 000006
【図６】
0005505958.tif 000007
【図７】
0005505958.tif 000008